(57)【要約】      （修正有）【課題】封止する能力を高めつつ、封止機能以外の機能を発揮する様々な付属部材を着脱可能な多機能クリップキットを提供する。【解決手段】クリップキット１は、クリップ本体２と付属部材３とを備える。本体２は、一対のアーム部と、該アーム部の一端にて該アーム部を回動自在に連結するヒンジ部とが設けられる。クリップ本体２に付属部材３を着脱可能に接続する接続部として、アーム部の側壁５ｗに縁部４ｅ，５ｅを設け、一方、付属部材３に、縁部４ｅ，５ｅに係合する爪部３３を設ける。【選択図】図１
0003177478.tif 000002
【実用新案登録請求の範囲】
【請求項１】
一対のアーム部と、該アーム部の一端にて該アーム部を回動自在に連結するヒンジ部と、が設けられたクリップ本体と、
封止機能とは異なる機能を発揮する少なくとも一つの付属部材と、
を備えた多機能クリップキットであって、
前記クリップ本体に前記付属部材を着脱可能に接続する接続部がさらに設けられていることを特徴とする多機能クリップキット。
【請求項２】
少なくとも一方の前記アーム部の側壁上に、該アーム部の幅方向両外側に張り出した縁部を該アーム部の長手方向に沿って設け、かつ、
前記付属部材に、前記アーム部を部分的に収容する把持部と、該把持部に形成されて前記アーム部の前記縁部に係合する爪部と、を設けたことによって、
前記接続部を形成したことを特徴とする請求項１に記載の多機能クリップキット。
【請求項３】
前記アーム部の前記側壁の少なくとも一方には補強壁が形成され、かつ、
前記爪部には、前記アーム部に形成された前記補強壁の幅と設置間隔に対応した開口幅と設置間隔を有した複数の切れ込みが設けられることを特徴とする請求項２に記載の多機能クリップキット。
【請求項４】
少なくとも一方の前記アーム部の側壁上に、該アーム部の幅方向両外側に張り出した縁部を該アーム部の長手方向に沿って設け、かつ、
前記付属部材に、前記アーム部の一部を長手方向に案内可能な把持部を設けたことによって、
前記接続部を形成したことを特徴とする請求項１に記載の多機能クリップキット。
【請求項５】
少なくとも一方の前記アーム部に磁石を設け、かつ、
前記付属部材に、前記磁石と引き合う磁極を有した磁石を設けたことによって、
前記接続部を形成したことを特徴とする請求項１に記載の多機能クリップキット。
【請求項６】
少なくとも一方の前記アーム部の側壁に少なくとも１つの孔を設け、かつ、
前記付属部材に、前記孔に挿入可能な凸部を設けたことによって、
前記接続部を形成したことを特徴とする請求項１に記載の多機能クリップキット。
【請求項７】
前記付属部材は、フック、マグネットベース、スプーン、フォーク、トング、日時インジケータ、ネームプレート、メモプレート、持手、キャラクターマーク、及び、ストラップの少なくとも一つであることを特徴とする請求項１〜６のいずれかに記載の多機能クリップキット。
【請求項８】
前記一対のアーム部の側壁の間に、該側壁を連結する基底部の内面から立設するように内部壁が形成されて、該アーム部は互いに対向し合う略Ｅ字形の断面を成し、
一方の前記アーム部の各側壁には、他方の前記アーム部に向かって延びた嵌入条部が形成され、かつ、
前記アーム部が係止状態においては、前記嵌入条部は、前記側壁の内部表面に摺り合う程度に接近しながら前記内部壁によって区分けされた内部空間に収納されることを特徴とする請求項１〜７のいずれかに記載の多機能クリップキット。
【請求項９】
前記クリップ本体の他に、該クリップ本体の長手方向又は幅方向の寸法の異なる少なくとも１つのクリップ本体をさらに備えたことを特徴とする請求項１〜８のいずれかに記載の多機能クリップキット。
【請求項１０】
請求項８に記載のクリップ本体からなる袋口封止用クリップ。
【考案の詳細な説明】
【技術分野】
【０００１】
本考案は、袋の開口部（以下、単に「袋口」とも呼ぶ。）を封止するクリップに関し、より詳しくは、封止する能力を高めつつ、封止機能以外の機能を提供する様々な付属部材を着脱可能な多機能クリップキットに関するものである。
【背景技術】
【０００２】
袋詰めされた食材や調味料等は、調理等に使用するため開封された後、その残りを保存するため、開封された袋口を輪ゴムあるいはクリップ等で、通常、封止する必要がある。この種の従来のクリップとして、例えば、特許文献１〜３が挙げられる。
【０００３】
特許文献１〜３には、袋口を確実に密封し固定することを目的とした様々なクリップが開示されている。しかしながら、これまでに提案されているクリップは、封止機能のみを提供するものが多く、クリップを使用するユーザーに向けてその他の様々な機能（例えば、食材等の調理や保存に際し、これらの行為を快適にアシストする様々な機能）まで併せて提供するものでは無かった。
【０００４】
なお、本願の出願人は特許文献４に開示のクリップを既に提案している。特許文献４に開示のクリップは、蓋体と台体とこれらの部材を連結し開閉自在にするヒンジ部を備え、さらに、蓋体の平面部には日付欄を設け、この日付欄に沿った蓋体の左右両側面部にインジケータを設けたことを特徴とするものである。このような構成のクリップは、袋口を確実に封止する機能の他に、保存期間の適切な確認・管理といった機能をも提供するように一体的に成形されたものである。
【０００５】
しかしながら、特許文献４に開示のクリップは一旦成形され完成してしまうと、このクリップを使用するユーザーによって、ユーザーが望むその他の様々な機能を備えた物品をさらに追加したり、選択したり、又は交換したりすることは出来なかった。
【先行技術文献】
【特許文献】
【０００６】
【特許文献１】特許第４８３８２０７号公報
【特許文献２】特開２００３−１０４３９７号公報
【特許文献３】実開平２−１３８１４５号公報
【特許文献４】登録実用新案第３１０２２２４号公報
【考案の概要】
【考案が解決しようとする課題】
【０００７】
本考案は、このような従来の実情に鑑みて提案されたものであり、従来の技術が有する欠点・課題を排除・克服したクリップを提供することを目的とする。すなわち、本考案は、封止する能力を高めつつ、封止機能以外の機能を提供する様々な付属部材を着脱可能な多機能クリップキットを提供することを目的とする。
【課題を解決するための手段】
【０００８】
本考案者は、鋭意検討した末、従来の袋口封止用クリップに、このクリップと共に使用される可能性が高い付属部材を着脱可能な接続部を形成できれば、上記課題が解決できること等を見出し、本考案を完成するに至った。
【０００９】
すなわち、本考案は、少なくとも次の構成・特徴を採用するものである。
（態様１）
一対のアーム部と、該アーム部の一端にて該アーム部を回動自在に連結するヒンジ部と、が設けられたクリップ本体と、
封止機能とは異なる機能を発揮する少なくとも一つの付属部材と、
を備えた多機能クリップキットであって、
前記クリップ本体に前記付属部材を着脱可能に接続する接続部がさらに設けられていることを特徴とする多機能クリップキット。
（態様２）
少なくとも一方の前記アーム部の側壁上に、該アーム部の幅方向両外側に張り出した縁部を該アーム部の長手方向に沿って設け、かつ、
前記付属部材に、前記アーム部を部分的に収容する把持部と、該把持部に形成されて前記アーム部の前記縁部に係合する爪部と、を設けたことによって、
前記接続部を形成したことを特徴とする態様１に記載の多機能クリップキット。
（態様３）
前記アーム部の前記側壁の少なくとも一方には補強壁が形成され、かつ、
前記爪部には、前記アーム部に形成された前記補強壁の幅と設置間隔に対応した開口幅と設置間隔を有した複数の切れ込みが設けられることを特徴とする態様２に記載の多機能クリップキット。
（態様４）
少なくとも一方の前記アーム部の側壁上に、該アーム部の幅方向両外側に張り出した縁部を該アーム部の長手方向に沿って設け、かつ、
前記付属部材に、前記アーム部の一部を長手方向に案内可能な把持部を設けたことによって、
前記接続部を形成したことを特徴とする態様１に記載の多機能クリップキット。
（態様５）
少なくとも一方の前記アーム部に磁石を設け、かつ、
前記付属部材に、前記磁石と引き合う磁極を有した磁石を設けたことによって、
前記接続部を形成したことを特徴とする態様１に記載の多機能クリップキット。
（態様６）
少なくとも一方の前記アーム部の側壁に少なくとも１つの孔を設け、かつ、
前記付属部材に、前記孔に挿入可能な凸部を設けたことによって、
前記接続部を形成したことを特徴とする態様１に記載の多機能クリップキット。
（態様７）
前記付属部材は、フック、マグネットベース、スプーン、フォーク、トング、日時インジケータ、ネームプレート、メモプレート、持手、キャラクターマーク、及び、ストラップの少なくとも一つであることを特徴とする態様１〜６のいずれかに記載の多機能クリップキット。
（態様８）
前記一対のアーム部の側壁の間に、該側壁を連結する基底部の内面から立設するように内部壁が形成されて、該アーム部は互いに対向し合う略Ｅ字形の断面を成し、
一方の前記アーム部の各側壁には、他方の前記アーム部に向かって延びた嵌入条部が形成され、かつ、
前記アーム部が係止状態においては、前記嵌入条部は、前記側壁の内部表面に摺り合う程度に接近しながら前記内部壁によって区分けされた内部空間に収納されることを特徴とする態様１〜７のいずれかに記載の多機能クリップキット。
（態様９）
前記クリップ本体の他に、該クリップ本体の長手方向又は幅方向の寸法の異なる少なくとも１つのクリップ本体をさらに備えたことを特徴とする態様１〜８のいずれかに記載の多機能クリップキット。
（態様１０）
態様８に記載のクリップ本体からなる袋口封止用クリップ。
【考案の効果】
【００１０】
本考案の多機能クリップキットは、以上のような構成を備えているため、これを使用するユーザーにおいてクリップ本体に対して付属部材を手軽かつ容易に着脱することが可能となる。これにより、ユーザーは、調理時、保管時、携行時などの様々な局面で必要な付属部材を選択し、クリップ本体に取り付けることが可能となる。
【００１１】
本考案の好適な態様によれば、クリップ本体は上述の断面構造を備えているために、クリップ本体の剛性や機械的強度が高まるとともに、確実に袋口を封止することができる。
【図面の簡単な説明】
【００１２】
【図１】本考案の実施形態に係る多機能クリップキットを示した分解斜視図及び斜視図である。
【図２】開放状態のクリップ本体の斜視図である。
【図３】係止状態のクリップ本体の正面図及び平面図である。
【図４】係止状態のクリップ本体の拡大断面図である。
【図５】別の実施形態の多機能クリップキットの分解斜視図及び斜視図である。
【図６】別の実施形態の多機能クリップキットの分解斜視図及び斜視図である。
【図７】多機能クリップキットの拡大断面図である。
【図８】別の実施形態の多機能クリップキットの斜視図である。
【考案を実施するための形態】
【００１３】
以下、本考案を図面に示す実施の形態に基づき説明するが、本考案は、下記の具体的な
実施形態に何等限定されるものではない。なお、各図において同一又は対応する要素には同一符号を用いる。
【実施例】
【００１４】
図１（ａ）は本考案の一実施形態に係る多機能クリップキット１（以下、単に「クリップキット」とも呼ぶ。）を示した分解斜視図であり、図１（ｂ）は構成要素を組み付けた状態の多機能クリップキット１の斜視図である。図２は開放した状態のクリップ本体２の斜視図である。図３（ａ）及び（ｂ）はクリップ本体２の正面図及び平面図である。図４は、図３（ａ）のＡ−Ａ線に沿って破断して拡大したクリップ本体２の拡大断面図である。図５（ａ）及び（ｂ）並びに図６（ａ）及び（ｂ）は別の実施形態の多機能クリップキット１の分解斜視図及び斜視図である。図７（ａ）及び（ｂ）は各クリップキット１の拡大断面図である。図８（ａ）〜（ｄ）は別の実施形態の多機能クリップキット１の斜視図である。
【００１５】
（クリップキットの構造・特徴）
本考案のクリップキット１は、図１に示すように、その主な構成部品として、クリップ本体２（以下、単に「本体」とも呼ぶ。）と、少なくとも一つの付属部材３（図１に示す例では、フック３Ａ）と、を備える。以下に各構成部品２，３について詳しく説明する。なお、クリップ本体２や付属部材３の材質として、プラスチック等の樹脂（例えば、ポリプロピレン）、金属又はこれらの組合せが挙げられるが、特に、軽量であるとともに射出成形により安価に大量生産できる点から、樹脂が好ましい。
【００１６】
（クリップ本体の構造）
クリップ本体２は、図２〜４に示すように、従来の封止用クリップと同様に、一対のアーム部４，５と、該アーム部４，５の一端にて該アーム部４，５を回動自在に連結するヒンジ部６と、が設けられている。
【００１７】
アーム部４，５の他端には互いに係り合って固定される係止部４１，５１が設けられる。より具体的には、係止部５１は、図２及び図３の各図に示すように、アーム部５の他端から湾曲しながら延びた摘み片５２に設けられており、摘み片５２を指で押さえて弾性変形させることで、アーム部４，５の係止状態を設定又は解除することができる。なお、摘み片５２の弾性変形をさらに容易にする等の理由から、摘み片５２に開口部５３（図５及び図６の各図を参照）を設けてもよい。
【００１８】
（クリップ本体の外部構造）
図４は、図３（ａ）のＡ−Ａ線に沿って破断して拡大した描画した拡大断面図である。なお、図４には、封止される袋口８の断面も併せて描画している。アーム部４，５は、平坦な基底部４ｂ，５ｂと、その両側から立設した側壁４ｗ，４ｗ，５ｗ，５ｗと、によって、その外形が形作られている。基底部４ｂ，５ｂには、側壁４ｗ，４ｗ，５ｗ，５ｗよりも本体２の幅方向外側に張り出した縁部（図示の例では肩状の部分）４ｅ，４ｅ，５ｅ，５ｅが本体２の長手方向に沿ってさらに形成されており、後述するように、本体２に対して付属部材３を着脱自在に接続する接続部の役目も担う。さらに、図３（ｂ）に示すように、側壁４ｗ，４ｗ，５ｗ，５ｗに、縁部４ｅ，４ｅ，５ｅ，５ｅの直下に（又は直上に）補強壁４ｒｆ，５ｒｆをクリップ本体２の長手方向に沿って一定間隔おきに設け、幅方向外側に張り出した縁部４ｅ，４ｅ，５ｅ，５ｅの構造的強度を高めることが好ましい。
【００１９】
（クリップ本体の内部構造）
また、アーム部４，５の内部には、側壁４ｗ，４ｗ，５ｗ，５ｗの間のほぼ中央に内部壁４ｉｗ，５ｉｗが本体２の長手方向に延びるように形成されており、断面視では、基底部４ｂ，５ｂ、側壁４ｗ，４ｗ，５ｗ，５ｗ、及び内部壁４ｉｗ，５ｉｗによって各アーム４，５部は互いに対向し合う略Ｅ字形を成す（図４を参照）。さらに、一方のアーム部４の側壁４ｗ，４ｗの当接面（他方のアーム部５に接触する面）には、他方のアーム部５に向かって延びるよう嵌入条部４ｉｎ，４ｉｎが形成されており、アーム部４，５が係止状態においては、側壁５ｗ，５ｗの内部表面に摺り合う程度に接近しながら内部壁５ｉｗによって区分けされた夫々の内部空間５ｖ，５ｖに収納されるように形成されている。
【００２０】
このような構成により、図４に示すように、通常２枚のシートからなる袋口８を嵌入条部４ｉｎ，４ｉｎと内部壁４ｉｗ，５ｉｗとによって断面視では略Ｗ字状に延ばしながら、嵌入条部４ｉｎ，４ｉｎと側壁５ｗ，５ｗとによって、袋口８を構成する２枚のシート（図４では便宜上一本の一点鎖線で表示）を密着させることで、袋口８を確実に封止することが可能となる。
【００２１】
また、アーム部４，５の各内部空間４ｖ，４ｖ，５ｖ，５ｖには、図２に示すように各側壁４ｗ，５ｗと内部壁４ｉｗ，５ｉｗとを連結する一対のリブ４ｒｂ，４ｒｂ，５ｒｂ，５ｒｂが本体２の長手方向に沿って複数設けられている。これにより、各側壁４ｗ，４ｗ，５ｗ，５ｗや内部壁４ｉｗ，５ｉｗの剛性が高まり、袋口８を封止する際に余計な力が掛ってもアーム部４，５が変形したり、折れたりする危険性を限りなく減らすことができる。なお、図示しないが、リブ４ｒｂ，４ｒｂ，５ｒｂ，５ｒｂの高さは、係止状態において嵌入条部４ｉｎ，４ｉｎや袋口８が入り込んでもこれらに接触しない程度の高さに設定されていることが好ましい。
【００２２】
（付属部材の例示）
また、図１は、本考案のクリップキット１の付属部材３の一例としてフック３Ａを示す。フック３Ａはフック３Ａ本来の機能を提供するため、公知の吊り下げ部３１ａが形成されているだけでなく、クリップ本体２に着脱自在に接続できるような追加構造が設けられていることに留意されたい。フック３Ａは、図１及び図７（ａ）に示す例では、アーム部５の基底部５ｂ及び縁部５ｅを収容可能な把持部３２が形成され、把持部３２の両端にはアーム部５の縁部５ｅ，５ｅに係合可能な爪部３３が形成されている。従って、図７（ａ）に示すように、断面が略コの字形あるいは略Ｃの字形を成す。これにより、本体２と付属部材３（つまり、フック３Ａ）とを着脱自在に接続できるだけでなく、本体２に一旦係止されたフック３Ａは、爪部３３を開くように人為的な力を掛けるようにしなければ、本体２から外れにくいものとなる。
【００２３】
また、フック３Ａの把持部３２には、把持部３２の弾性変形を容易にする可撓部３４（図１及び図７（ａ）に示す例では、湾曲部）が形成されていてもよい。フック３Ａの把持部３２には、可撓部３４に加えて、さらに、この可撓部３４を弾性変形させるために指等を押し当て可能な掴み部３５が形成されていてもよい。これらの要素３４，３５により、把持部３２へのアーム部５の収容（嵌め込み）が容易になる。
【００２４】
また、爪部３３には、アーム部５に形成された補強壁５ｒｆの幅と設置間隔に対応した開口幅と設置間隔（ピッチ）を有した複数の切れ込み（または凹部）３６が設けられることが好ましく、これにより、図１（ｂ）に示すように、各補強壁５ｒｆが対応する切れ込み３６に嵌合するため、付属部材３が横方向にずれる（言い換えれば、本体２の側壁４ｗ，４ｗ，５ｗ，５ｗ上をその長手方向に滑る）事を防ぐこともできる。
【００２５】
また、図示しないが、上記と同様な方法で、他方のアーム部４の縁部４ｅをフック３Ａの把持部３２に嵌め込み、補強壁４ｒｆをフック３Ａの切れ込み３６に嵌合するようしてもよい。
【００２６】
以上のように、フック３Ａを本考案の付属部材３とすれば、クリップ本体２で袋口８を密封された食材の入った袋を任意の場所に吊り下げて保管することが可能になる。ただし、袋に収容される食材、調味料、菓子等の分量は、クリップ本体２の係止状態が維持される程度に軽量であることが望ましい。
【００２７】
また、付属部材３の例示として、上述のフック３Ａに限らず、例えば、受容皿３１ｂ１と柄体３１ｂ２とを備えたスプーン３Ｂ（図５及び６を参照）、日時インジケータ３Ｃ（図８（ａ）を参照）、マグネットベース３Ｄ（図８（ｂ）を参照）、ネームプレート（図示せず）、メモプレート（図示せず）、フォーク（図示せず）、トング（図示せず）、キャラクターマーク３Ｅ（図８（ｃ）を参照）、持手３Ｆ，３Ｆ（図８（ｄ）を参照）、ストラップ（図示せず）等が挙げられる。
【００２８】
なお、図８（ａ）に示した日時インジケータ３Ｃは日付のみを表示するものであるが、時間等を表示する機能を備えたものであってもよい。
【００２９】
図８（ｂ）に示したマグネットベース３Ｄを本体２に接続した場合、クリップ本体２とともに食材の入った袋を冷蔵庫壁面やのキッチンの側壁（金属製）に貼り付けて保管することができる。なお、マグネットベース３Ｄは、扁平な板状の磁石片３１ｄ１と、この磁石片３１ｄ１を収容する凹部（図示せず）を設けたベース部３１ｄ２とで構成することが考えられるが、ポリプロピレンの場合は磁石との接着性に劣るため、凹部の接触面など、ベース部３１ｄ２の一部に磁石との接着性に優れたＡＢＳ樹脂を使用することが好ましい。
【００３０】
また、メモプレートは図示しないが、例えば、アーム部４，５の基底部４ｂ，５ｂの外面を平坦にし、この外面にブラスト加工等を施すことで、この外面に対して鉛筆等で文字を描くことができるようになる。
【００３１】
また、図８（ｄ）に示すように、付属部材３として一対の持手３Ｆ，３Ｆを用意し、本体２に接続してもよい。各持手３Ｆ，３Ｆには、例えば、図５（ａ）にて説明したような本体２のアーム部４，５を掴む把持部３２と爪部３３とを形成してもよい。これにより、例えば、食材の入った袋を携帯するといった今までに例の無いライフスタイルを実現することができる。例えば、スーパーマーケット等で計り売りされ、袋詰めされた食材等を持手３Ｆ，３Ｆが付いた本考案のクリップキット１によって持ち運び、自宅に戻った際には、付属部材３として持手３Ｆ，３Ｆから図８（ａ）に示した日時インジケータ３Ｃに交換すれば、保存期間を管理しながら食材を保管することも可能となる。
【００３２】
このようにそれぞれ異なる機能を有し、かつ、クリップ本体２に着脱自在に接続可能な付属部材３（例えば、３Ａ，３Ｂ，３Ｃ，３Ｄ，３Ｅ，３Ｆ）を用意して、本考案のクリップキット１として提供すれば、従来の封止用クリップを使用していたユーザーが思いもよらなかった便利で楽しく快適なキッチンスタイルを提案することができる。
【００３３】
また、本体２と上述の付属部材３との接続構造や接続方法は図１の例示に限定されない。例えば、図５（ａ）及び（ｂ）に付属部材３として例示したスプーン３Ｂは、図１（ａ）及び（ｂ）に例示したフック３Ａと同様に、クリップ本体２を把持部３２に嵌め込む方式であるが、図１に示すような可撓部３４や掴み部３５は形成されていない。
【００３４】
また、図６（ａ）及び（ｂ）に付属部材３として例示したスプーン３Ｂは、スプーン３Ｂの柄体３１ｂ２の側縁にて互いに対向する爪部３３（図示の例では、平坦な張り出し部）を備え、柄体３１ｂ２の断面が略Ｃ字状に形成されている。この柄体３１ｂ２の一端から、本体２の基底部５ｂ及び縁部５ｅをスプーン３Ｂの長手方向に引き入れることで、スプーン３Ｂが本体２に着脱自在に接続・固定されることになる。なお、スプーン３Ｂの柄体３１ｂ２へのクリップ本体２の案内（スライド）に支障が出ないように、図１〜図４に示すクリップ本体２に形成されていた補強壁４ｒｆ，５ｒｆや縁部５ｅの一部が削除されている。
【００３５】
（クリップ本体と付属部材との接続）
接続の形態としては、この他に、図示しないが、本体２（例えば、アーム部４，５の基底部４ｂ，５ｂの内部）に第１の磁石を内蔵するとともに、付属部材３の内部に第１の磁石が有する磁極とは反対の磁極を有した第２の磁石を内蔵するようにしてもよい。これにより、両部材２，３には引力が発生するため、付属部材３を本体２に着脱自在に接続することが可能となる。
【００３６】
また、本体２又は付属部材３の一方（例えば、本体２におけるアーム部４，５の側壁４ｗ，５ｗ）に少なくとも１つの孔を設けるとともに、他方の部材（例えば、付属部材３）に孔の内径に対応した径を有した棒状部材や棒状凸部を設けるようにしても、付属部材３を本体２に着脱自在に接続することが可能となる。
【００３７】
本考案のクリップキット１を幾つかの実施形態に基づいて説明したが、本考案は、上記実施形態に何等限定されるものではない。例えば、付属部材３として、上述の幾つかの物品３Ａ，３Ｂ，３Ｃ，３Ｄ，３Ｅ，３Ｆに限定されるものではなく、種々の組合せが考えられる。加えて、クリップ本体２と付属部材３とを着脱自在に接続する形態（方法や構造）も上記形態以外の形態も採用可能である。
【００３８】
また、クリップキット１を構成するクリップ本体２も１個だけに限定しなくてもよく、例えば、長手方向や幅方向に大小様々な寸法のクリップ本体２を用意してもよい。これによって、挟持される対象の袋のサイズに対応して好ましいクリップ本体２を適用することができる。
【００３９】
なお、サイズや種類の異なるクリップ本体２を用意する場合、同一（共通）の付属部材３が使い回せるように、それぞれの本体２の接続部は共通の構造や配列を形成するようにしてもよい。例えば、いずれのクリップ本体２も、付属部材３の共通の爪部３３で係合できるように、同一の寸法（厚さや張り出し長さ）を有した縁部４ｅ，４ｅ，５ｅ，５ｅを設けてもよい。さらに、補強壁４ｒｆ，５ｒｆの寸法や間隔を同一にすれば、どちらのクリップ本体２を用いた場合でも、これに組み付けた付属部材３がふとした拍子に横方向にずれることはない。
【産業上の利用可能性】
【００４０】
上述したように、本考案のクリップキット１によれば、従来の封止用クリップが提供する機能（つまり、確実に袋口を封止する機能）に加えて、従来の封止用クリップを使用していたユーザーが思いもよらなかった便利で楽しく快適なクリップの使い方（キッチンスタイル）を提案することができる。従って、本考案のクリップキット１は、産業上の利用価値及び利用可能性が非常に高い。
【符号の説明】
【００４１】
１    クリップキット
２    クリップ本体
３    付属部材
３Ａ    フック
３Ｂ    スプーン
３Ｃ    日時インジケータ
３Ｄ    マグネットベース
３Ｅ    キャラクターマーク
３Ｆ    持手
４，５    アーム部
４ｂ，５ｂ    基底部
４ｅ，５ｅ    アーム部の縁部（肩部）
４ｉｎ    嵌入条部
４ｉｗ，５ｉｗ    内部壁
４ｒｆ，５ｒｆ    アーム部の補強壁
４ｔｒ，５ｔｒ    アーム部の溝
４ｖ，５ｖ        アーム部の内部空間
４ｗ，５ｗ    アーム部の側壁
６    ヒンジ部
８    袋口
３２    把持部
３３    爪部
３４    可撓部
３５    掴み部
３６    切れ込み（凹部）
【図１】
0003177478.tif 000003
【図２】
0003177478.tif 000004
【図３】
0003177478.tif 000005
【図４】
0003177478.tif 000006
【図５】
0003177478.tif 000007
【図６】
0003177478.tif 000008
【図７】
0003177478.tif 000009
【図８】
0003177478.tif 000010